【手続補正書】
【提出日】平成20年3月26日(2008.3.26)
【手続補正１】
【補正対象書類名】明細書
【補正対象項目名】発明の名称
【補正方法】変更
【補正の内容】
【発明の名称】映像コンテンツ送信装置及び映像コンテンツ送信装置の制御方法
【手続補正２】
【補正対象書類名】明細書
【補正対象項目名】特許請求の範囲
【補正方法】変更
【補正の内容】
【特許請求の範囲】
【請求項１】  映像コンテンツデータを端末装置に送信する映像コンテンツ送信装置であって、
前記端末装置に送信可能な映像コンテンツデータのリスト情報を生成する生成手段と、
前記リスト情報を前記端末装置に送信する第１の送信手段と、
前記端末装置から送信された、映像コンテンツデータを指定する指定情報を受信する第１の受信手段と、
受信した指定情報に基づいて、前記端末装置から指定された映像コンテンツデータを前記端末装置に送信する第２の送信手段と、
前記第２の送信手段で送信した、前記端末装置で視聴する映像コンテンツデータに対する操作するための指示を入力する操作用データを前記端末装置に送信する第３の送信手段と、
前記端末装置で前記操作用データを用いて入力された指示に対応する操作コマンド情報を前記端末装置から受信する第２の受信手段と、
受信した操作コマンド情報で指示された操作に対応する処理を実行する実行手段と、
を有することを特徴とする映像コンテンツ送信装置。
【請求項２】  前記映像コンテンツ装置は当該映像コンテンツ装置に接続された再生装置が再生した映像コンテンツデータを前記端末装置に送信し、前記操作用データは前記指定情報で指定された映像コンテンツデータを再生する再生装置の種別毎に予め定められていることを特徴とする請求項１に記載の映像コンテンツ送信装置。
【請求項３】  前記実行手段は受信した操作コマンド情報に基づいて、前記再生装置が実行する映像コンテンツデータの再生動作を操作するための制御コマンドを前記再生装置に送信する処理を実行することを特徴とする請求項２に記載の映像コンテンツ再生装置。
【請求項４】  前記操作用データは前記指定情報で指定された映像コンテンツデータの属性に対応して予め定められていることを特徴とする請求項１に記載の映像コンテンツ送信装置。
【請求項５】  前記操作用データは前記端末装置の少なくとも１つのキーに、前記映像コンテンツの操作情報を割り当てるための設定情報と、当該キーに割り当てられた操作機能に対応する操作コマンド情報を含むことを特徴とする請求項１乃至４のいずれか１項に記載の映像コンテンツ送信装置。
【請求項６】  映像コンテンツデータを端末装置に送信する映像コンテンツ送信装置の制御方法であって、
前記端末装置に送信可能な映像コンテンツデータのリスト情報を生成する生成ステップと、
前記リスト情報を前記端末装置に送信する第１の送信ステップと、
前記端末装置から送信された、映像コンテンツデータを指定する指定情報を受信する第１の受信ステップと、
受信した指定情報に基づいて、前記端末装置から指定された映像コンテンツデータを前記端末装置に送信する第２の送信ステップと、
前記第２の送信ステップで送信した、前記端末装置で視聴する映像コンテンツデータに対する操作するための指示を入力する操作用データを前記端末装置に送信する第３の送信ステップと、
前記端末装置で前記操作用データを用いて入力された指示に対応する操作コマンド情報を前記端末装置から受信する第２の受信ステップと、
受信した操作コマンド情報で指示された操作に対応する処理を実行する実行ステップと、
を有することを特徴とする映像コンテンツ送信装置の制御方法。
【請求項７】  前記映像コンテンツ装置は当該映像コンテンツ装置に接続された再生装置が再生した映像コンテンツデータを前記端末装置に送信し、前記操作用データは前記指定情報で指定された映像コンテンツデータを再生する再生装置の種別毎に予め定められていることを特徴とする請求項６に記載の映像コンテンツ送信装置の制御方法。
【請求項８】  前記実行ステップでは受信した操作コマンド情報に基づいて、前記再生装置が実行する映像コンテンツデータの再生動作を操作するための制御コマンドを前記再生装置に送信する処理を実行することを特徴とする請求項７に記載の映像コンテンツ再生装置の制御方法。
【請求項９】  前記操作用データは前記指定情報で指定された映像コンテンツデータの属性に対応して予め定められていることを特徴とする請求項６に記載の映像コンテンツ送信装置の制御方法。
【請求項１０】  前記操作用データは前記端末装置の少なくとも１つのキーに、前記映像コンテンツの操作情報を割り当てるための設定情報と、当該キーに割り当てられた操作機能に対応する操作コマンド情報を含むことを特徴とする請求項６乃至９のいずれか１項に記載の映像コンテンツ送信装置の制御方法。
【手続補正３】
【補正対象書類名】明細書
【補正対象項目名】０００１
【補正方法】変更
【補正の内容】
【０００１】
【発明の属する技術分野】
本発明は映像コンテンツを携帯情報端末などにおいて快適に視聴でき、かつ映像コンテンツに対する操作を実行可能な映像コンテンツ送信装置及び映像コンテンツ送信装置の制御方法に関するものである。
【手続補正４】
【補正対象書類名】明細書
【補正対象項目名】００１１
【補正方法】変更
【補正の内容】
【００１１】
【課題を解決するための手段】
上記課題を解決するために、本願における請求項１に記載の発明は、映像コンテンツデータを端末装置に送信する映像コンテンツ送信装置であって、前記端末装置に送信可能な映像コンテンツデータのリスト情報を生成する生成手段と、前記リスト情報を前記端末装置に送信する第１の送信手段と、前記端末装置から送信された、映像コンテンツデータを指定する指定情報を受信する第１の受信手段と、受信した指定情報に基づいて、前記端末装置から指定された映像コンテンツデータを前記端末装置に送信する第２の送信手段と、前記第２の送信手段で送信した、前記端末装置で視聴する映像コンテンツデータに対する操作するための指示を入力する操作用データを前記端末装置に送信する第３の送信手段と、前記端末装置で前記操作用データを用いて入力された指示に対応する操作コマンド情報を前記端末装置から受信する第２の受信手段と、受信した操作コマンド情報で指示された操作に対応する処理を実行する実行手段と、を有することを特徴する。
【手続補正５】
【補正対象書類名】明細書
【補正対象項目名】００１２
【補正方法】変更
【補正の内容】
【００１２】
また、上記課題を解決するために、本願における請求項６に記載の発明は、映像コンテンツデータを端末装置に送信する映像コンテンツ送信装置の制御方法であって、前記端末装置に送信可能な映像コンテンツデータのリスト情報を生成する生成ステップと、前記リスト情報を前記端末装置に送信する第１の送信ステップと、前記端末装置から送信された、映像コンテンツデータを指定する指定情報を受信する第１の受信ステップと、受信した指定情報に基づいて、前記端末装置から指定された映像コンテンツデータを前記端末装置に送信する第２の送信ステップと、前記第２の送信ステップで送信した、前記端末装置で視聴する映像コンテンツデータに対する操作するための指示を入力する操作用データを前記端末装置に送信する第３の送信ステップと、前記端末装置で前記操作用データを用いて入力された指示に対応する操作コマンド情報を前記端末装置から受信する第２の受信ステップと、受信した操作コマンド情報で指示された操作に対応する処理を実行する実行ステップと、を有することを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】